(57)【要約】【課題】トナー像が形成された定着前の記録媒体を搬送する際の、異常画像の発生を、従来よりもさらに抑制する。【解決手段】トナー像が形成された用紙の裏面をガイドするガイド本体１６１は、絶縁性材料からなり、用紙搬送経路と対向するように配置されている。このガイド本体１６１における用紙搬送経路と対向する部分である用紙搬送経路対向部１６１ａから、上方の用紙に向けて突出するように、ガイドリブ１６１ｂが設けられている。被覆金属板１６２は、用紙搬送経路対向部１６１ａにおける用紙搬送経路と対向する面であるガイド面１６１ａ１の一部を、被覆部１６２ａによって覆うように構成されている。すなわち、被覆金属板１６２には、ガイドリブ１６１ｂに対応するように、スリット１６２ｃが形成されている。そして、このスリット１６２ｃは、ガイド面１６１ａ１の一部を露出するように形成されている。【選択図】図３
2007176611.tif 000002
【特許請求の範囲】
【請求項１】
帯電した現像剤を、像様に配列させた状態で、記録媒体の表面上に付着させ得るように構成された現像剤像形成部と、
前記現像剤による像を前記記録媒体上に定着させ得るように構成された定着部と、
前記記録媒体の裏面と対向するように前記現像剤像形成部と前記定着部との間に配置されていて、前記現像剤像形成部を経て前記像が形成された前記記録媒体の前記定着部への搬送をガイドし得るように構成された記録媒体ガイド部と、
を備え、
前記記録媒体ガイド部は、
前記記録媒体の前記裏面と対向する表面である対向面と、その対向面に立設された複数のリブとを、備えたガイド部材と、
前記ガイド部材における前記対向面の一部と前記リブとを前記記録媒体の前記裏面に向けて露出させ得るように形成された開口部を有し、前記対向面の残部を覆うように構成された導電部材と、
を備えたことを特徴とする、画像形成装置。
【請求項２】
請求項１に記載の画像形成装置であって、
前記開口部の幅が、前記対向面を覆う部分の幅よりも広くなるように、前記導電部材が構成されていることを特徴とする、画像形成装置。
【請求項３】
請求項２に記載の画像形成装置であって、
前記記録媒体の搬送方向における中央部にて、前記開口部の幅が、前記対向面を覆う部分の幅よりも広くなるように、前記導電部材が構成されていることを特徴とする、画像形成装置。
【請求項４】
請求項２又は請求項３に記載の画像形成装置であって、
前記記録媒体の厚さ方向及び搬送方向と直交する幅方向における中央部と、前記幅方向における端部とで、前記開口部の幅が異なるように、前記導電部材が構成されていることを特徴とする、画像形成装置。
【請求項５】
請求項１ないし請求項４のいずれかに記載の画像形成装置であって、
前記開口部の開口面積が、前記対向面を覆う部分の面積よりも広くなるように、前記導電部材が構成されていることを特徴とする、画像形成装置。
【請求項６】
請求項１ないし請求項５のいずれかに記載の画像形成装置であって、
前記記録媒体の厚さ方向及び搬送方向と直交する幅方向における中央部と、前記幅方向における端部とで、前記開口部の前記開口面積が異なるように、前記導電部材が構成されていることを特徴とする、画像形成装置。
【請求項７】
請求項６に記載の画像形成装置であって、
前記記録媒体の搬送方向における中央部にて、前記開口部の前記開口面積が、前記対向面を覆う部分の面積よりも広くなるように、前記導電部材が構成されていることを特徴とする、画像形成装置。
【請求項８】
請求項２ないし請求項７のいずれかに記載の画像形成装置において、
前記定着部を通過して前記現像剤による像が定着された前記記録媒体を裏返して、前記現像剤像形成部に再度給送し得るように構成された用紙反転機構をさらに備えたことを特徴とする、画像形成装置。
【発明の詳細な説明】
【技術分野】
【０００１】
本発明は、帯電した現像剤を、像様に配列させた状態で記録媒体の表面上に付着させた後、この現像剤による像を前記記録媒体上に定着させることで、当該記録媒体に画像を形成し得るように構成された画像形成装置に関する。
【背景技術】
【０００２】
この種の画像形成装置の具体例として、電子写真式の画像形成装置が広く知られている。この電子写真式の画像形成装置は、例えば、特開２００２−３２８５５２号公報（特許文献１）に記載されているように、感光体ドラムと、帯電器と、露光器と、現像器と、転写ローラーと、定着器と、搬送ガイドと、を備えている。
【０００３】
前記感光体ドラムは、画像形成手段を構成するプロセスカートリッジ内に配置されている。前記帯電器は、前記感光体ドラムの前記表面を一様に帯電し得るように構成されている。前記露光器は、前記帯電器によって一様に帯電された前記感光体ドラムの前記表面を露光することで、当該表面に静電潜像を形成し得るように構成されている。
【０００４】
前記現像器は、前記静電潜像が形成された前記感光体ドラムの前記表面に対して、帯電したトナー（現像剤）を、当該静電潜像に対応したパターンで像様に配列させた状態で付着させ得るように構成されている。すなわち、この現像器は、前記トナーを用いて前記静電潜像を現像し得るように構成されている。以下、前記現像剤（トナー）を像様に配列させることで形成された像を、単に「現像剤像（トナー像）」と称する。
【０００５】
前記転写ローラーは、前記トナー像を、前記感光体ドラムの前記表面から前記記録媒体の表面に、静電的に転写させ得るように構成されている。前記定着器は、前記転写ローラーによって前記トナー像が転写された前記記録媒体を加熱及び／又は加圧することで、当該トナー像を前記記録媒体の前記表面に定着させ得るように構成されている。前記搬送ガイドは、前記転写ローラーを経た前記記録媒体の前記定着器への搬送をガイドし得るように構成されている。
【０００６】
この特開２００２−３２８５５２号公報（特許文献１）に記載された画像形成装置における前記搬送ガイドには、搬送リブと、金属板と、が設けられている。また、この搬送ガイドよりも前記記録媒体の搬送方向における上流側には、除電部材が設けられている。
【０００７】
前記金属板は、接地されている。この金属板は、前記転写ローラーを経た前記記録媒体の、非画像形成面（裏面）を、静電引力によって引きつけることで、当該記録媒体の搬送状態を安定させ得るように構成されている。
【０００８】
前記搬送リブは、合成樹脂からなり、前記記録媒体に向けて突出するように設けられている。この搬送リブは、前記記録媒体の搬送抵抗を軽減させるとともに、当該記録媒体が前記搬送ガイドを通過する際に定着前の前記トナー像が乱されることによる異常画像の発生を抑制し得るように構成されている。
【０００９】
この異常画像の発生は、定着前の前記トナー像が付着している前記記録媒体が、導電性の前記金属板と近接又は直接的に接触した際の、当該記録媒体の前記裏面と前記搬送ガイドとの間での電荷のやりとりに起因するものと考えられている。
【００１０】
前記除電部材は、接地された導電性の部材からなり、前記記録媒体の前記裏面を除電し得るように構成されている。すなわち、この除電部材によって前記記録媒体の前記裏面が除電されることで、前記転写ローラーを経た前記記録媒体が、前記搬送ガイド及び前記定着器に向けてスムーズに搬送され得るようになっている。
【特許文献１】特開２００２−３２８５５２号公報
【発明の開示】
【００１１】
上述したような構成を有する、この種の画像形成装置において、上述のような、前記記録媒体が前記搬送ガイドを通過する際に発生する異常画像の問題を完全に解決することは、極めて困難である。
【００１２】
例えば、前記記録媒体の前記裏面の帯電量が過度に多かったり少なかったりすると、上述の異常画像が顕著に現れる。この異常画像としては、前記搬送リブに対応する位置にて前記搬送方向に沿って発生するスジ状の「リブ跡」や、放射状の「飛び散り」がある。
【００１３】
「リブ跡」は、以下のメカニズムによって発生するものと考えられる。前記記録媒体の前記裏面の帯電量が過度に多い場合、当該記録媒体の前記金属板に対する静電引力が過度に大きくなる。この過度の静電引力によって、前記搬送方向に移動する前記記録媒体の前記裏面と、前記搬送リブの先端とが、強く摩擦する。この強い摩擦による帯電によって、帯電粒子である前記トナーが吸着されたり或いは飛散したり、この帯電した電荷の放電によって、前記トナーが飛散したりすることで、前記搬送方向に沿ったスジ状の画像の乱れが生じる。
【００１４】
また、「飛び散り」は、以下のメカニズムによって発生するものと考えられる。前記記録媒体の前記裏面の帯電量が過度に多い場合、当該裏面と前記搬送ガイドとの間で放電が生じる。この放電によって、帯電粒子である前記トナーが飛散することで、前記搬送方向に沿った放射状の画像の乱れが生じる。
【００１５】
一方、前記搬送ガイドよりも前記搬送方向における上流側における、前記除電部材による前記記録媒体の前記裏面の除電が過度に行われて、前記記録媒体の前記裏面の帯電量が過度に少なくなった場合も、様々な弊害が生じる。この場合、当該記録媒体の前記金属板に対する静電引力が過度に小さくなって、当該記録媒体の搬送状態の安定性が失われる。また、この場合も、上述と同様の「飛び散り」も生じる。
【００１６】
この場合の「飛び散り」は、以下のメカニズムによって発生するものと考えられる。前記記録媒体の前記裏面の除電が過度に行われると、前記記録媒体に対する前記トナーの静電的な吸着力が、相対的に低下する。すると、当該記録媒体の搬送の際に、何らかの（機械的或いは静電気的な）衝撃が当該記録媒体に対して局所的に加えられること等によって、前記トナーが飛散する。これにより、前記搬送方向に沿った放射状の画像の乱れが生じる。
【００１７】
上述のような、前記記録媒体が前記搬送ガイドを通過する際に発生する異常画像は、特に、用紙の両面に画像形成を行った場合における２面目において発生しやすい。これは、一旦定着器を経て水分量の低下やカールが発生することで、当該記録媒体における、前記搬送リブに対する摩擦の度合いや帯電性が変化することによるものと考えられる。
【００１８】
もっとも、上述の異常画像の問題を完全に解決するために、前記除電部材による前記記録媒体の前記裏面の帯電状態を制御することは、極めて困難である。なぜなら、このような帯電状態は、当該画像形成装置の使用環境や、前記記録媒体の材質等によって大きく異なるからである。また、上述したように、両面画像形成における１面目と２面目とでも、前記帯電状態は大きく異なり得る。
【００１９】
この点、前記金属板と接地電位との間に所定のバイアス電圧を印加することで、前記記録媒体の前記金属板に対する静電引力を適度に制御することもまた、困難である。なぜなら、前記記録媒体の前記裏面の帯電極性や帯電量は、当該記録媒体や当該画像形成装置内の各要素の材質によって変化し得るので、前記バイアス電圧の極性を適正に設定することが困難となるからである。
【００２０】
特に、前記記録媒体の材質と、当該画像形成装置内の各要素の材質とが、摩擦帯電系列上で近い位置にある場合、当該記録媒体における前記裏面の帯電極性が一定しないことになり得る。
【００２１】
さらに、前記金属板と接続するための電源装置や回路構成が必要になる等、装置構成が複雑化し、低価格な画像形成装置を提供することが困難になる。
【００２２】
本発明は、上述の問題点を解決するためになされたものであり、その目的は、前記トナー像が形成された定着前の前記記録媒体を搬送する際の、異常画像の発生を、従来よりもさらに抑制することにある。
【００２３】
本発明の対象となる画像形成装置は、現像剤像形成部と、定着部と、記録媒体ガイド部と、を備えている。
【００２４】
前記現像剤像形成部は、帯電した現像剤を、像様に配列させた状態で、記録媒体の表面上に付着させ得るように構成されている。すなわち、当該現像剤像形成部は、前記記録媒体の表面上に、前記現像剤による像を形成し得るように構成されている。前記定着部は、前記現像剤像を前記記録媒体上に定着させ得るように構成されている。
【００２５】
前記記録媒体ガイド部は、前記記録媒体の裏面と対向するように、前記現像剤像形成部と前記定着部との間に配置されている。ここで、前記記録媒体の前記裏面は、前記現像剤像形成部によって前記現像剤像が形成された前記表面と反対側の面をいうものとする。そして、この記録媒体ガイド部は、前記現像剤像形成部を経て前記現像剤像が形成された前記記録媒体の前記定着部への搬送をガイドし得るように構成されている。
【００２６】
具体的には、前記記録媒体ガイド部は、ガイド部材と、導電部材と、を備えている。
【００２７】
前記ガイド部材は、複数のリブを備えている。これらの複数のリブは、当該ガイド部材における、前記記録媒体の前記裏面と対向する表面である対向面に立設されている。
【００２８】
前記導電部材は、前記ガイド部材における前記対向面を覆うように構成されている。この導電部材には、前記リブを前記記録媒体の前記裏面に向けて露出させ得るように形成された開口部を有している。
【００２９】
本発明の特徴は、前記開口部が、前記ガイド部材における前記対向面の一部と、前記リブとを、前記記録媒体の前記裏面に向けて露出させ得るように形成されていて、前記導電部材が、前記開口部によって露出された部分以外の前記対向面の残部を覆うように構成されたことにある。
【００３０】
すなわち、本発明においては、前記開口部における端縁と、前記リブの側面との間に、所定の隙間が形成されるように、前記導電部材が構成されている。
【００３１】
かかる構成においては、前記導電部材における、前記対向面の前記残部を覆う部分と、前記現像剤像が形成された前記記録媒体とが対向する。これにより、両者の間に静電引力が生じる。このときに生じる静電引力は、前記対向面がすべて前記導電部材によって覆われている場合よりも、適度に弱められている。この適度な静電引力によって、前記現像剤像形成部を経た前記記録媒体の前記裏面が引きつけられることで、当該記録媒体が安定的に搬送される。
【００３２】
上述の構成を備えた本発明によれば、前記現像剤像が形成された定着前の前記記録媒体が、前記記録媒体ガイド部を通過する際の、過度の静電引力の発生が抑制される。よって、本発明によれば、前記定着前の前記記録媒体を搬送する際の、異常画像の発生が、効果的に抑制され得る。
【００３３】
特に、本発明によれば、前記画像形成装置が、用紙反転機構を備えている場合に、一旦前記定着部を経て１面目の画像形成が行われた前記記録媒体に対する、２面目の画像形成の際の、異常画像の発生が、より効果的に抑制され得る。ここで、前記用紙反転機構は、前記定着部を通過して前記現像剤像が定着された前記記録媒体を裏返して、前記現像剤像形成部に再度給送し得るように構成されている。
【００３４】
なお、上述の構成において、前記開口部の幅又は面積が、前記対向面を覆う部分の幅又は面積よりも広く設定されていてもよい。これにより、前記記録媒体の帯電性が高い場合であっても、過度の静電引力の発生が抑制され得る。
【００３５】
この場合、少なくとも、前記導電部材における、前記記録媒体の搬送方向における中央部にて、前記開口部の幅又は面積が上述の通りに設定されていればよい。この導電部材の前記搬送方向における中央部は、前記記録媒体の前記裏面と最も近接する部分、及びその近傍の部分である。かかる部分における前記開口部の幅又は面積が、上述の通りに設定されることで、異常画像の発生がより効果的に抑制され得る。
【００３６】
また、前記記録媒体の厚さ方向及び搬送方向と直交する幅方向における中央部と、前記幅方向における端部とで、前記開口部の幅又は面積が異なるように、前記導電部材が構成されていてもよい。具体的には、例えば、前記中央部における前記開口部の幅又は面積が、前記端部における前記開口部の幅又は面積よりも広く設定され得る。
【００３７】
かかる構成においては、前記幅方向に沿って前記記録媒体に所定のカールが生じる場合に、当該カールの傾向に合わせて、前記開口部の幅又は面積の、前記幅方向についての分布が適宜設定され得る。これにより、前記記録媒体に上述のようなカールが生じた場合であっても、異常画像の発生がより効果的に抑制され得る。
【発明を実施するための最良の形態】
【００３８】
以下、本発明の実施形態（本願の出願時点において取り敢えず出願人が最良と考えている実施形態）について、図面を参照しつつ説明する。
【００３９】
＜レーザープリンタの全体構成＞
図１は、本発明の画像形成装置の一実施形態であるレーザープリンタ１００の側断面図である。
【００４０】
レーザープリンタ１００は、本体部１１０と、フィーダーユニット１２０と、を備えている。本体部１１０は、フィーダーユニット１２０等から供給されてきた用紙（記録媒体）を用紙搬送経路ＰＰ（図中２点鎖線で示されている）に沿って搬送しつつ、当該用紙上に画像を形成し得るように構成されている。
【００４１】
以下の説明では、図１における用紙搬送経路ＰＰに沿って用紙が搬送される方向を、「用紙搬送方向」と称する。すなわち、用紙搬送経路ＰＰ上の或る位置における「用紙搬送方向」とは、当該位置における用紙搬送経路ＰＰの接線方向と平行であって、且つ当該位置における用紙の移動方向に沿った方向をいうものとする。
【００４２】
また、用紙搬送経路ＰＰと常時直交する方向、すなわち、図１の紙面と直交する方向を、「幅方向」と称する。この「幅方向」は、用紙幅方向と一致する方向である。また、この「幅方向」は、用紙の厚さ方向、レーザープリンタ１００の高さ方向、及び用紙搬送方向のそれぞれと直交する方向となる。
【００４３】
さらに、レーザープリンタ１００における図中右側を、レーザープリンタ１００の「前面側」と称し、レーザープリンタ１００における図中左側を、レーザープリンタ１００の「背面側」と称する。
【００４４】
フィーダーユニット１２０は、本体部１１０の下方に配置されている。このフィーダーユニット１２０は、本体部１１０内に供給するためのシート状の用紙を、積層状態にて保持し得るように構成されている。本実施形態においては、レーザープリンタ１００及びフィーダーユニット１２０は、レターサイズ（２１５．９ｍｍ×２７９．４ｍｍ）及びＡ４サイズ（２１０ｍｍ×２９７ｍｍ）の用紙に対応し得るように構成されている。
【００４５】
本体部１１０内には、画像形成ユニット１３０と、スキャナーユニット１４０と、定着部１５０と、未定着用紙搬送ガイド１６０と、定着済み用紙搬送部１７０と、が備えられている。
【００４６】
画像形成ユニット１３０は、用紙上にトナー（現像剤）による像を形成し得るように構成されている。この画像形成ユニット１３０は、本体部１１０に対して着脱自在に構成されている。
【００４７】
スキャナーユニット１４０は、画像形成ユニット１３０におけるトナー像の形成に供されるレーザービームを発生し、これを当該画像形成ユニット１３０に向けて照射し得るように構成されている。
【００４８】
定着部１５０は、画像形成ユニット１３０によって用紙上に形成されたトナー像を用紙上に定着させ得るように構成されている。
【００４９】
未定着用紙搬送ガイド１６０は、用紙の裏面（すなわち用紙におけるトナー像が形成された面の裏側の面）と対向するように配置されている。この未定着用紙搬送ガイド１６０は、画像形成ユニット１３０と定着部１５０との間に配置されている。そして、この未定着用紙搬送ガイド１６０は、画像形成ユニット１３０を経てトナー像が形成された未定着の用紙の、定着部１５０への搬送をガイドし得るように構成されている。
【００５０】
定着済み用紙搬送部１７０は、定着部１５０を経て表面にトナー像が定着された用紙を、本体部１１０の外部に排出し得るように構成されている。また、定着済み用紙搬送部１７０は、用紙の両面に画像形成が行われる際に、定着部１５０によって１面目のトナー像が定着された用紙を、用紙反転経路ＤＰ（図中２点鎖線で示されている）に沿って再び画像形成ユニット１３０に向けて送り得るように構成されている。
【００５１】
また、本体部１１０とフィーダーユニット１２０との間には、用紙反転ユニット１８０が設けられている。この用紙反転ユニット１８０は、用紙の両面に画像形成が行われる際に、定着済み用紙搬送部１７０によって送られて来た用紙を一旦受容し得るように構成されている。
【００５２】
以下、画像形成ユニット１３０、スキャナーユニット１４０、定着部１５０、未定着用紙搬送ガイド１６０、定着済み用紙搬送部１７０、及び用紙反転ユニット１８０の具体的な構成について説明する。
【００５３】
＜本体部＞
本体部１１０は、上述の画像形成ユニット１３０等を支持する本体フレーム（図示せず）を備えている。この本体フレームは、金属又は合成樹脂から構成されている。
【００５４】
本体部１１０の前記前面側における底部には、ピックアップローラー１１２が設けられている。ピックアップローラー１１２は、ゴムローラーからなる。このピックアップローラー１１２は、フィーダーユニット１２０内にて積層状態で載置された用紙のうちの最上層部のものを、用紙搬送方向に送出し得るように構成されている。
【００５５】
ピックアップローラー１１２による用紙の送出先には、分離ローラー１１３が設けられている。分離ローラー１１３は、ゴムローラーからなる。この分離ローラー１１３は、フィーダーユニット１２０に設けられた後述の分離パッド１２４と協働することで、最上位の用紙のみを分離して画像形成ユニット１３０に向けて搬送し得るように構成されている。
【００５６】
分離ローラー１１３による用紙の送出先には、用紙供給ローラー１１４が設けられている。用紙供給ローラー１１４は、ゴムローラーからなる。この用紙供給ローラー１１４は、分離ローラー１１３（及び分離パッド１２４）によって分離された用紙を、画像形成ユニット１３０に向けて搬送し得るように構成されている。
【００５７】
用紙供給ローラー１１４による用紙の送出先には、フィーダー下流用紙ガイド１１５が設けられている。
【００５８】
このフィーダー下流用紙ガイド１１５は、フィーダーユニット１２０から送出されてきた用紙を、画像形成ユニット１３０の下方の後述するレジスト部に向けて案内し得るように構成されている。このフィーダー下流用紙ガイド１１５によって、フィーダー下流用紙供給路１１５ａが形成されている。このフィーダー下流用紙供給路１１５ａを通って、フィーダーユニット１２０から送られて来た用紙が、前記レジスト部に達するようになっている。
【００５９】
画像形成ユニット１３０の下方であって、フィーダー下流用紙ガイド１１５の前記背面側には、下側用紙ガイド１１６が設けられている。この下側用紙ガイド１１６と、フィーダー下流用紙ガイド１１５との間の空間によって、反転用紙供給路１１６ａが形成されている。
【００６０】
この反転用紙供給路１１６ａによって、用紙反転経路ＤＰの終端部が構成されている。すなわち、この反転用紙供給路１１６ａを通って、用紙反転ユニット１８０に一旦受容された用紙が、前記レジスト部に向けて搬送され得るようになっている。
【００６１】
下側用紙ガイド１１６の上端部には、レジストローラー１１７が設けられている。このレジストローラー１１７は、画像形成ユニット１３０の底部に設けられた後述する対向ローラー１３８と協働することで、用紙の先端の傾きを修正するとともに、当該用紙の先端の通過タイミングを調整し得るように構成されている。
【００６２】
用紙反転ユニット１８０における前記前面側の端部と対向する位置には、反転用紙供給ローラー１１８が設けられている。この反転用紙供給ローラー１１８は、用紙反転ユニット１８０に一旦受容された用紙を、前記レジスト部に向けて送出し得るように構成されている。
【００６３】
上述の、ピックアップローラー１１２、分離ローラー１１３、用紙供給ローラー１１４、レジストローラー１１７、及び反転用紙供給ローラー１１８は、図示しない回転駆動力伝達機構を介して回転駆動され得るように構成されている。
【００６４】
＜＜本体カバー＞＞
本体部１１０は、本体カバー１１１を備えている。この本体カバー１１１は、前記本体フレームの外側を覆うように形成されている。この本体カバー１１１は、合成樹脂製の板材から構成されている。
【００６５】
本体カバー１１１の前記前面側には、フロントカバー１１１ａが設けられている。このフロントカバー１１１ａは、その下端部のフロントカバー回動軸１１１ａ１を中心として回動し得るように支持されている。
【００６６】
本実施形態のレーザープリンタ１００における本体カバー１１１は、フロントカバー１１１ａの上端部が前記前面側（図中右側）に回動されることで、当該フロントカバー１１１ａが開放されるように構成されている。そして、このフロントカバー１１１ａが開放されることで、画像形成ユニット１３０を着脱するための開口部が、本体カバー１１１の前記前面側に形成されるようになっている。
【００６７】
本体カバー１１１の上面を構成するトップカバー１１１ｂにおける、前記背面側（図中左側）には、凹部が形成されている。この凹部は、前記前面側（図中右側）から前記背面側に向かうにつれて深くなるような形状に形成されている。そして、この凹部によって、排紙トレイ１１１ｂ１が形成されている。
【００６８】
すなわち、排紙トレイ１１１ｂ１は、トップカバー１１１ｂの前記前面側（図中右側）から前記背面側（図中左側）に向かって斜め下方に延びるように形成された斜面から構成されている。この排紙トレイ１１１ｂ１は、画像が形成された用紙を、積層状態にて数十枚載置し得るように構成されている。
【００６９】
また、本体カバー１１１における、排紙トレイ１１１ｂ１の下端部（図中左下側の端部）の上方には、開口部からなる排紙口１１１ｂ２が形成されている。そして、上述の排紙トレイ１１１ｂ１は、当該排紙口１１１ｂ２から排出された画像形成済みの用紙を受容し得るように構成されている。
【００７０】
さらに、トップカバー１１１ｂの前記背面側における内側表面には、排紙口下側ガイド１１１ｂ３及び排紙口上側ガイド１１１ｂ４が形成されている。これらの排紙口下側ガイド１１１ｂ３及び排紙口上側ガイド１１１ｂ４は、定着部１５０を経て排紙トレイ１１１ｂ１に向けて排出される用紙を排紙口１１１ｂ２に向けてガイドし得るように構成されている。また、排紙口上側ガイド１１１ｂ４は、用紙の両面に画像形成が行われる際に、排紙口１１１ｂ２の直前まで送られた用紙の後端を、用紙反転経路ＤＰに向けて案内し得るように構成されている。
【００７１】
本体カバー１１１の前記背面側には、リヤカバー１１１ｃが設けられている。このリヤカバー１１１ｃは、用紙ジャムの処理等の際に脱着し得るように構成されている。このリヤカバー１１１ｃの内側（すなわち前面側）には、用紙反転経路ガイド１１１ｃ１が形成されている。この用紙反転経路ガイド１１１ｃ１は、用紙反転経路ＤＰに沿って設けられている。
【００７２】
＜フィーダーユニット＞
フィーダーユニット１２０は、フィーダーケース１２１と、用紙押圧板１２２と、用紙押圧バネ１２３と、分離パッド１２４と、分離パッドホルダー１２５と、紙粉除去ローラー１２６と、を備えている。
【００７３】
フィーダーケース１２１は、フィーダーユニット１２０ケーシングを構成する部材である。フィーダーケース１２１は、本体カバー１１１と同じ材質の、合成樹脂製の板材から構成されている。このフィーダーユニット１２０は、内側にシート状の用紙を積層状態にて多数枚収容し得るように構成されている。
【００７４】
用紙押圧板１２２は、フィーダーケース１２１内に配置されている。この用紙押圧板１２２は、前記背面側の端部を中心に揺動可能に支持されている。用紙押圧板１２２の前記前面側の端部は、用紙押圧バネ１２３によって上方に付勢されている。
【００７５】
分離パッド１２４は、分離ローラー１１３と対向するように設けられている。この分離パッド１２４は、用紙との摩擦係数が、用紙同士の摩擦係数よりも高くなるような材質からなる。例えば、分離パッド１２４は、フェルト等から構成され得る。
【００７６】
分離パッドホルダー１２５は、上述の分離パッド１２４を支持する部材である。この分離パッドホルダー１２５は、分離ローラー１１３の下方に配置されている。この分離パッドホルダー１２５は、分離パッド付勢バネ１２５ａによって、上方の分離ローラー１１３に向けて付勢されている。
【００７７】
フィーダーケース１２１の前記前面側の端部には、紙粉除去ローラー１２６が設けられている。紙粉除去ローラー１２６は、用紙供給ローラー１１４と対向するように設けられている。この紙粉除去ローラー１２６は、画像形成前の用紙に付着している紙粉等の異物を除去し得るように構成されている。
【００７８】
＜画像形成ユニット＞
画像形成ユニット１３０のケーシング及びフレームを構成する現像部ケース１３１は、合成樹脂製の板材からなる。この現像部ケース１３１の前記前面側には、トナー収容部１３１ａが形成されている。このトナー収容部１３１ａは、現像剤としての非磁性１成分トナーを収容する空間である。
【００７９】
トナー収容部１３１ａの内側には、羽根車状のアジテーター１３２が配置されている。アジテーター１３２は、現像部ケース１３１によって回転可能に支持されている。このアジテーター１３２は、回転駆動されることで、トナー収容部１３１ａ内に収容されているトナーを撹拌し得るように構成されている。また、このアジテーター１３２は、回転駆動されることで、供給ローラー１３３に向けてトナーを少量ずつ送出し得るように構成されている。
【００８０】
供給ローラー１３３は、現像部ケース１３１の内側であって、トナー収容部１３１ａの前記背面側に配置されている。供給ローラー１３３は、金属製の回転中心軸の外周部にスポンジ層を形成することにより構成されている。この供給ローラー１３３は、現像部ケース１３１によって回転可能に支持されている。そして、供給ローラー１３３は、画像形成時において、図示しない回転駆動力伝達機構を介して、図中矢印で示されている方向（反時計回り）に回転駆動されるようになっている。
【００８１】
現像部ケース１３１の内側であって、供給ローラー１３３の前記背面側には、現像ローラー１３４が配置されている。この現像ローラー１３４は、供給ローラー１３３と平行に配置されている。また、現像ローラー１３４によって供給ローラー１３３が押されることで、当該供給ローラー１３３が弾性的に圧縮されるように、現像ローラー１３４と供給ローラー１３３との軸間距離が設定されている。
【００８２】
現像ローラー１３４は、金属製の回転中心軸の外周部に、半導電性ゴム層を形成することにより構成されている。この半導電性ゴム層は、カーボンブラックを合成ゴムに混入し均一に分散させることによって形成されている。
【００８３】
現像ローラー１３４は、現像部ケース１３１によって回転可能に支持されている。この現像ローラー１３４は、画像形成時において、図示しない回転駆動力伝達機構を介して、図中矢印で示されている方向（反時計回り：すなわち供給ローラー１３３と同じ方向）に回転駆動されるようになっている。そして、この現像ローラー１３４の周面には、上述の回転駆動によって、帯電したトナーが担持されるようになっている。
【００８４】
現像部ケース１３１の内側であって、現像ローラー１３４の前記背面側には、感光体ドラム１３５が設けられている。感光体ドラム１３５は、その外周部に光導電性物質からなる感光体層が形成された、円筒形状の部材である。
【００８５】
感光体ドラム１３５は、現像ローラー１３４と平行に配置されている。また、感光体ドラム１３５の周面と現像ローラー１３４の周面とが、当該現像ローラー１３４の周面に担持されたトナーの薄層を介して互いに接触するように、感光体ドラム１３５と現像ローラー１３４との軸間距離が設定されている。
【００８６】
感光体ドラム１３５の上方には、帯電器１３６が配置されている。帯電器１３６は、現像部ケース１３１によって支持されている。この帯電器１３６は、周知のスコロトロン型帯電器からなり、感光体ドラム１３５の周面を一様に帯電させ得るように構成されている。
【００８７】
現像部ケース１３１の上部であって、帯電器１３６と現像ローラー１３４との間の位置には、レーザー照射開口１３１ｂが形成されている。このレーザー照射開口１３１ｂは、帯電器１３６によって一様に帯電された感光体ドラム１３５の周面に対して、画像情報に応じて変調されたレーザービームを照射することで、当該感光体ドラム１３５の周面上に静電潜像が形成され得るように形成されている。
【００８８】
そして、このようにして感光体ドラム１３５の周面に形成された静電潜像を、現像ローラー１３４の周面に担持されたトナーによって現像することで、感光体ドラム１３５の周面上にトナー像を形成し得るように、当該画像形成ユニット１３０が構成されている。
【００８９】
現像部ケース１３１の内側であって、感光体ドラム１３５の下方には、転写ローラー１３７が配置されている。転写ローラー１３７は、用紙搬送経路ＰＰを挟んで感光体ドラム１３５の周面と対向するように、当該感光体ドラム１３５と平行に配置されている。
【００９０】
転写ローラー１３７と感光体ドラム１３５とが対向する位置である転写位置よりも、用紙搬送方向における上流側には、用紙入口開口１３１ｃが形成されている。また、前記転写位置よりも、用紙搬送方向における下流側には、用紙出口開口１３１ｄが形成されている。すなわち、画像形成ユニット１３０に向けて供給されてきた用紙が、用紙入口開口１３１ｃを通って当該画像形成ユニット１３０内に進入し、前記転写位置を通過した後に、用紙出口開口１３１ｄを通って当該画像形成ユニット１３０内から出るようになっている。
【００９１】
転写ローラー１３７は、現像部ケース１３１によって、回転可能に支持されている。転写ローラー１３７は、金属製の回転中心軸の外周部に、半導電性ゴム層を形成することにより構成されている。この回転中心軸には、図示しない高圧電源の高圧側出力端子が接続されている。
【００９２】
すなわち、転写ローラー１３７は、画像形成時に感光体ドラム１３５の図中矢印で示されている方向（時計回り）の回転と同期して、当該感光体ドラム１３５と連れ回るように、図中矢印で示されている方向（反時計回り）に回転駆動されるようになっている。そして、当該転写ローラー１３７は、上述のように回転駆動されつつ、当該感光体ドラム１３５との間に所定の電圧が印加されることで、感光体ドラム１３５の周面上に担持されたトナーを、前記転写位置にて用紙に転写させ得るように構成されている。
【００９３】
現像部ケース１３１の底部における外側であって、用紙入口開口１３１ｃよりも前記用紙搬送方向における上流側には、対向ローラー１３８が設けられている。この対向ローラー１３８は、現像部ケース１３１によって回転自在に支持されている。
【００９４】
対向ローラー１３８は、レジストローラー１１７と平行に配置されている。また、対向ローラー１３８は、レジストローラー１１７と対向するように配置されている。そして、対向ローラー１３８は、レジストローラー１１７と接触することで、当該レジストローラー１１７と連れ回るように構成及び配置されている。さらに、対向ローラー１３８とレジストローラー１１７との接触部によって、用紙の先端を一旦係止して当該用紙の斜行を補正するとともに搬送タイミングを調整するための、上述したレジスト部が形成されている。
【００９５】
＜スキャナーユニット＞
スキャナーユニット１４０は、現像部ケース１３１の上方に配置されている。スキャナーユニット１４０は、スキャナーケース１４１と、ポリゴンミラー１４２と、ポリゴンモーター１４３と、ｆ−θレンズ１４４と、折り返しミラー１４５と、シリンドリカルレンズ１４６と、照射ミラー１４７と、を備えている。
【００９６】
ポリゴンミラー１４２は、スキャナーケース１４１に固定されたポリゴンモーター１４３の回転駆動軸によって支持されている。このポリゴンミラー１４２は、上述のポリゴンモーター１４３によって所定の回転数で回転駆動されつつ、図示しないレーザー発光部にて画像データに基づいて生成されたレーザービームを反射することで、当該レーザービームを前記幅方向に沿って走査し得るように構成されている。
【００９７】
ｆ−θレンズ１４４は、ポリゴンミラー１４２により反射されたレーザービーム（図中一点鎖線で示されている）の走査間隔を補正するためのレンズであり、当該ポリゴンミラー１４２の回転方向に沿った長手方向を有するように構成されている。このｆ−θレンズ１４４は、ポリゴンミラー１４２と折り返しミラー１４５との間に配置されている。
【００９８】
シリンドリカルレンズ１４６は、面倒れ補正用のレンズであり、ｆ−θレンズ１４４を経て折り返しミラー１４５により反射されたレーザービームの進行先に配置されている。照射ミラー１４７は、シリンドリカルレンズ１４６を経たレーザービームが感光体ドラム１３５の周面に向けて照射され得るように配置されている。
【００９９】
これらのｆ−θレンズ１４４と、折り返しミラー１４５と、シリンドリカルレンズ１４６と、照射ミラー１４７とは、スキャナーケース１４１内にて支持されている。
【０１００】
＜定着部＞
定着部１５０は、前記転写位置よりも前記用紙搬送方向における下流側に配置されている。この定着部１５０は、加熱ローラー１５１と、加圧ローラー１５２と、を備えている。
【０１０１】
加熱ローラー１５１は、表面が離型処理された金属製の薄肉中空円筒内に、ヒーター１５１ａを収容することによって構成されている。この加熱ローラー１５１は、前記幅方向と平行に配置されている。
【０１０２】
加圧ローラー１５２は、シリコンゴム製のローラーであって、加熱ローラー１５１と平行に配置されている。この加圧ローラー１５２は、加熱ローラー１５１に対して、バネ等によって、所定の圧力で押圧されている。
【０１０３】
この定着部１５０は、図中矢印で示されている方向に回転する加熱ローラー１５１と加圧ローラー１５２との間で用紙を挟持することで、用紙における図中上側の表面上に付着したトナー像を当該表面上に定着させつつ、当該用紙を前記用紙搬送方向にむけて送るように構成されている。
【０１０４】
＜未定着用紙搬送ガイドの概略構成＞
画像形成ユニット１３０における用紙出口開口１３１ｄと、定着部１５０との間には、未定着用紙搬送ガイド１６０が設けられている。未定着用紙搬送ガイド１６０は、用紙搬送経路ＰＰと対向するように配置されている。この未定着用紙搬送ガイド１６０は、画像形成ユニット１３０を経てトナー像が形成された用紙の定着部１５０への搬送をガイドし得るように構成されている。この未定着用紙搬送ガイド１６０の詳細な構成については後述する。
【０１０５】
＜定着済み用紙搬送部＞
定着済み用紙搬送部１７０は、定着済み用紙送出ローラー１７１と、定着済み用紙ガイド１７２と、定着済み用紙ガイドコロ１７３と、排紙駆動ローラー１７４と、排紙従動ローラー１７５と、を備えている。
【０１０６】
定着済み用紙送出ローラー１７１は、定着部１５０における加熱ローラー１５１及び加圧ローラー１５２による用紙の送出先に配置されている。この定着済み用紙送出ローラー１７１は、定着部１５０を経てトナー像が定着された用紙を、排紙口下側ガイド１１１ｂ３と排紙口上側ガイド１１１ｂ４との間の空間に向けて送出し得るように構成されている。
【０１０７】
定着済み用紙ガイド１７２は、定着済み用紙送出ローラー１７１によって送出された定着済みの用紙を、排紙口下側ガイド１１１ｂ３と排紙口上側ガイド１１１ｂ４との間の空間に向けて案内し得るように構成されている。
【０１０８】
この定着済み用紙ガイド１７２の前記前面側の表面である定着済み用紙排出ガイド面１７２ａは、当該用紙搬送経路ＰＰに沿った面として形成されている。すなわち、定着済み用紙ガイド１７２における、用紙搬送経路ＰＰに面する表面である定着済み用紙排出ガイド面１７２ａは、定着済みの用紙を、排紙口下側ガイド１１１ｂ３と排紙口上側ガイド１１１ｂ４との間の空間に向けてスムーズに案内し得るように構成されている。
【０１０９】
また、定着済み用紙ガイド１７２の前記背面側には、定着済み用紙吸入ガイド面１７２ｂが形成されている。この定着済み用紙吸入ガイド面１７２ｂは、リヤカバー１１１ｃにおける用紙反転経路ガイド１１１ｃ１と対向するように設けられている。すなわち、定着済み用紙吸入ガイド面１７２ｂと、用紙反転経路ガイド１１１ｃ１とで囲まれた空間によって、排紙口下側ガイド１１１ｂ３と排紙口上側ガイド１１１ｂ４との間の空間から用紙反転ユニット１８０に至る、用紙反転経路ＤＰが形成されている。
【０１１０】
定着済み用紙ガイドコロ１７３は、定着済み用紙ガイド１７２の上端にて、回動自在に支持されている。この定着済み用紙ガイドコロ１７３は、定着部１５０よりも用紙搬送方向における下流側に向けて送出される用紙と、定着済み用紙ガイド１７２の上端との摩擦を軽減し得るように、構成及び配置されている。また、この定着済み用紙ガイドコロ１７３は、用紙反転経路ＤＰに沿って用紙反転ユニット１８０に向けて送出される用紙と、定着済み用紙ガイド１７２の上端との摩擦を軽減し得るように、構成及び配置されている。
【０１１１】
排紙駆動ローラー１７４及び排紙従動ローラー１７５は、その前記前面側が、トップカバー１１１ｂにおける排紙口１１１ｂ２から外部に露出するように配置されている。また、排紙駆動ローラー１７４及び排紙従動ローラー１７５は、その前記背面側が、トップカバー１１１ｂの内部に収容されるように配置されている。
【０１１２】
排紙駆動ローラー１７４は、図示しない回転駆動力伝達機構によって、図中時計回り及び反時計回りに正逆回転され得るように構成されている。すなわち、排紙駆動ローラー１７４は、図中時計回りに回転駆動されることで、用紙を排紙トレイ１１１ｂ１に排出し得るように構成されている。また、排紙駆動ローラー１７４は、図中反時計回りに回転駆動されることで、用紙を用紙反転経路ＤＰに沿って用紙反転ユニット１８０に向けて送出し得るように構成されている。
【０１１３】
排紙従動ローラー１７５は、排紙駆動ローラー１７４の上方に配置されている。この排紙従動ローラー１７５は、トップカバー１１１ｂによって、回動自在に支持されている。そして、排紙従動ローラー１７５は、排紙駆動ローラー１７４の回転駆動に連れ回るようになっている。
【０１１４】
＜用紙反転ユニット＞
用紙反転ユニット１８０は、反転トレイ１８１と、反転用紙供給従動ローラー１８２と、を備えている。
【０１１５】
反転トレイ１８１は、本体カバー１１１及びフィーダーケース１２１と同じ材質の、合成樹脂製の板材から構成されている。この反転トレイ１８１は、用紙ジャムの処理等の際に前記背面側に引き出すことで、本体部１１０から脱着し得るように構成されている。
【０１１６】
反転トレイ１８１の上面には、反転用紙ガイド面１８１ａが形成されている。反転用紙ガイド面１８１ａは、用紙反転経路ＤＰに沿って形成されている。
【０１１７】
この反転用紙ガイド面１８１ａは、排紙駆動ローラー１７４の逆転によって用紙反転経路ガイド１１１ｃ１と定着済み用紙吸入ガイド面１７２ｂとの間を通って反転トレイ１８１に達した用紙を、一旦載置し得るように構成されている。また、この反転用紙ガイド面１８１ａは、定着済みの用紙が用紙反転経路ＤＰに沿って前記レジスト部に給送されるのをガイドし得るように構成されている。
【０１１８】
用紙反転ユニット１８０における前記前面側の端部には、反転用紙供給従動ローラー１８２が、回動自在に支持されている。反転用紙供給従動ローラー１８２は、反転用紙供給ローラー１１８と対向する位置にて、当該反転用紙供給ローラー１１８と平行に設けられている。また、この反転用紙供給従動ローラー１８２は、反転用紙供給ローラー１１８と接触することで、当該反転用紙供給ローラー１１８の回転駆動と連れ回るように構成されている。
【０１１９】
すなわち、反転用紙供給従動ローラー１８２は、図示しない回転駆動力伝達機構を介して回転駆動される反転用紙供給ローラー１１８と協働することで、用紙反転ユニット１８０に一旦受容された用紙を、前記レジスト部に向けて送出し得るように構成されている。
【０１２０】
＜未定着用紙搬送ガイドの構成の詳細＞
図２は、図１に示されている未定着用紙搬送ガイド１６０の周辺を拡大した側断面図である。図２を参照すると、本実施形態における未定着用紙搬送ガイド１６０は、ガイド本体１６１と、被覆金属板１６２と、除電ブラシ１６３と、を備えている。
【０１２１】
ガイド本体１６１は、絶縁性の合成樹脂によって一体に成形されている。このガイド本体１６１は、平板状の用紙搬送経路対向部１６１ａを備えている。この用紙搬送経路対向部１６１ａの上側表面、すなわち、用紙搬送経路ＰＰと対向する面である、ガイド面１６１ａ１から、上方の用紙搬送経路ＰＰに向けて突出するように、ガイドリブ１６１ｂが立設されている。
【０１２２】
ガイドリブ１６１ｂは、用紙搬送方向に沿って形成されている。また、ガイドリブ１６１ｂは、前記幅方向（用紙幅方向）に沿って複数配列するように形成されている。このガイドリブ１６１ｂは、当該未定着用紙搬送ガイド１６０と用紙との摩擦抵抗が小さくなるように、０．８ｍｍないし２ｍｍ程度の幅で形成されている。本実施形態においては、ガイドリブ１６１ｂの幅は、１．２ｍｍに設定されている。
【０１２３】
被覆金属板１６２は、被覆部１６２ａと、除電ブラシ支持部１６２ｂと、を備えている。この被覆金属板１６２は、金属板をプレス加工することで一体に成形されている。また、この被覆金属板１６２は、接地されている。
【０１２４】
被覆部１６２ａは、ガイド本体１６１における平板状の用紙搬送経路対向部１６１ａと平行な平板状に形成されている。この被覆部１６２ａは、用紙搬送経路対向部１６１ａの上側表面であるガイド面１６１ａ１を覆うように配置されている。
【０１２５】
除電ブラシ支持部１６２ｂは、被覆部１６２ａの前面側の端部、すなわち、用紙搬送方向における上流側の端部から、下方に立設するように設けられている。この除電ブラシ支持部１６２ｂには、除電ブラシ１６３が設けられている。除電ブラシ１６３は、被覆金属板１６２とほぼ同電位（すなわちほぼ０Ｖ）となるように、除電ブラシ支持部１６２ｂと導電性両面テープ等によって機械的及び電気回路的に直結されている。
【０１２６】
この除電ブラシ１６３は、感光体ドラム１３５と転写ローラー１３７とが対向する前記転写位置を経た用紙の前記裏面の過度のチャージアップを抑制することで、当該転写位置から用紙がスムーズに排出され得るように構成されている。また、この除電ブラシ１６３は、上述の用紙における前記裏面の過度のチャージアップを抑制することで、当該用紙が加熱ローラー１５１と加圧ローラー１５２との圧接部である定着位置に向けてスムーズに搬送され得るように構成されている。
【０１２７】
＜＜被覆金属板の構成＞＞
図３は、図２に示されている未定着用紙搬送ガイド１６０の分解斜視図である。図３を参照すると、被覆金属板１６２における平板状の被覆部１６２ａは、複数のスリット１６２ｃによって、前記幅方向（用紙幅方向）について複数に分割されている。
【０１２８】
スリット１６２ｃは、ガイドリブ１６１ｂを上方に露出し得るように形成されている。このスリット１６２ｃの幅は、本実施形態においては、ガイドリブ１６１ｂの幅よりも２ｍｍ以上広くなるように設定されている。具体的には、このスリット１６２ｃの幅は、４．５ｍｍに設定されている。
【０１２９】
すなわち、本実施形態においては、１．２ｍｍ幅のガイドリブ１６１ｂの側面と、４．５ｍｍ幅のスリット１６２ｃの開口端縁との間に、３．３ｍｍ程度の隙間が形成されている。また、本実施形態においては、上述の３．３ｍｍ程度の隙間を介して、用紙搬送経路対向部１６１ａにおけるガイド面１６１ａ１が、上方（図２における用紙搬送経路ＰＰ）に向けて露出されている。
【０１３０】
さらに、本実施形態においては、用紙搬送経路対向部１６１ａのガイド面１６１ａ１及びガイドリブ１６１ｂを含めた、ガイド本体１６１の上側表面のうちの、略２５％が、スリット１６２ｃによって上方に向けて露出されている。そして、ガイド本体１６１の上側表面のうちの、スリット１６２ｃによって上方に向けて露出された部分以外の残部が、被覆部１６２ａによって覆われている。
【０１３１】
＜レーザープリンタによる画像形成動作の概略＞
以下、上述の構成を備えたレーザープリンタ１００による画像形成動作の概略について、図面を参照しつつ説明する。
【０１３２】
＜＜給紙動作＞＞
図１を参照すると、フィーダーケース１２１内にて、用紙が積載状態で収容されている。この用紙は、用紙押圧板１２２によって、ピックアップローラー１１２に向かって上方に付勢される。これにより、フィーダーケース１２１内の最上位の用紙が、ピックアップローラー１１２の周面と接触する。
【０１３３】
ピックアップローラー１１２が図中反時計回りに回転駆動されると、当該最上位の用紙の先端部が、図中右方に移動する。もっとも、用紙同士の摩擦により、当該最上位の用紙のみならず、その下位の数枚も、当該最上位の用紙とともに図中右方に移動することがある。この場合、フィーダーケース１２１内の最上位から数枚分の用紙の先端が、分離ローラー１１３と分離パッド１２４との間で挟まれる。
【０１３４】
ここで、分離ローラー１１３が図中反時計回りに回転駆動される。このとき、分離ローラー１１３の周面と最上位の用紙との摩擦力の方が、用紙同士の摩擦力よりも大きい。よって、分離ローラー１１３の周面と接触している最上位の用紙の先端部は、分離ローラー１１３の回転に伴って移動し得る。一方、最上位の用紙とその下位の用紙との間には、すべりが生じる。また、最上位よりも下位の用紙の先端の移動は、分離パッド１２４によって阻止される。
【０１３５】
このようにして、分離ローラー１１３の周面と接触している最上位の用紙のみが、分離ローラー１１３の回転に伴って移動する。そして、この最上位の用紙の先端は、対向ローラー１３８とレジストローラー１１７とが接触している前記レジスト部に向けて搬送される。
【０１３６】
前記レジスト部に用紙の先端が突き当てられることにより、用紙の斜行が補正される。その後、所定のタイミングでレジストローラー１１７が回転駆動される。すると、当該レジストローラー１１７の回転に連れ回るように対向ローラー１３８が回転する。これにより、感光体ドラム１３５と転写ローラー１３７とが対向する位置である前記転写位置に向けて、用紙が搬送される。このようにして、用紙の斜行の補正及び搬送タイミング調整が行われる。
【０１３７】
その後、用紙は、用紙入口開口１３１ｃを介して、画像形成ユニット１３０内に進入する。そして、以下のようにして、画像形成ユニット１３０内の前記転写位置にて、用紙の上側表面に、トナー像が形成（転写）される。
【０１３８】
＜＜静電潜像の形成＞＞
上述のように用紙が前記転写位置に向けて搬送されている間に、感光体ドラム１３５の周面上に、以下のようにしてトナー像が担持される。
【０１３９】
感光体ドラム１３５の周面は、まず、帯電器１３６の直下にて、当該帯電器１３６によって、一様に帯電される。この帯電器１３６によって帯電された感光体ドラム１３５の周面は、当該感光体ドラム１３５が図中矢印で示されている方向（時計回り）に回転することで、レーザー照射開口１３１ｂと対向する位置まで送られる。
【０１４０】
レーザー照射開口１３１ｂと対向する位置にて、一様に帯電された感光体ドラム１３５の周面に対して、スキャナーユニット１４０によってレーザービームが照射される。このレーザービームは、ポリゴンミラー１４２の回転によって、前記幅方向に沿って走査される。また、このレーザービームは、画像データに基づいて生成されている。すなわち、レーザービームの発光状態（ＯＮ／ＯＦＦのパルス形状）が、画像データに応じて変調されている。
【０１４１】
このように変調されたレーザービームが感光体ドラム１３５の周面上で走査されることにより、当該周面上に静電潜像が形成される。そして、このようにして静電潜像が形成された感光体ドラム１３５の周面は、当該感光体ドラム１３５が図中矢印で示されている方向（時計回り）に回転することで、現像ローラー１３４の周面と接触又は近接する位置まで送られる。
【０１４２】
＜＜静電潜像の現像・トナー像の転写＞＞
上述のように  現像ローラー１３４及び供給ローラー１３３は、図中矢印で示されている方向（反時計回り）に回転する。これにより、現像ローラー１３４の周面と供給ローラー１３３とが接触している位置にて、両者の間で摩擦が生じる。この摩擦によって、現像ローラー１３４の周面上には、帯電したトナーが担持される。
【０１４３】
このようにしてトナーが担持された現像ローラー１３４の周面は、図中矢印で示されている方向（反時計回り）に回転することで、感光体ドラム１３５と対向する位置に達する。
【０１４４】
そして、静電潜像が形成された感光体ドラム１３５の周面と、帯電したトナーが担持された現像ローラー１３４の周面とが接触又は近接することで、感光体ドラム１３５の周面上に形成された静電潜像に対応するパターンで、当該周面上にトナーが付着する。すなわち、感光体ドラム１３５の周面上の静電潜像がトナーにより現像され、トナー像が当該周面上に担持される。
【０１４５】
上述のようにして感光体ドラム１３５の周面上に担持されたトナー像は、当該周面が図中時計回りに回転することにより、上述の転写位置に向けて搬送される。そして、この転写位置にて、トナー像が、感光体ドラム１３５の周面から用紙上に転写される。
【０１４６】
＜＜トナー像が形成された用紙の定着部への搬送＞＞
上述のように、前記転写位置にて、トナー像が形成（転写）された用紙は、用紙出口開口１３１ｄを通って、画像形成ユニット１３０から排出される。その後、このトナー像転写済み用紙は、その前記裏面が未定着用紙搬送ガイド１６０によってガイドされつつ、用紙搬送経路ＰＰに沿って定着部１５０に送られる。
【０１４７】
図２を参照すると、未定着用紙搬送ガイド１６０に送られて来た、トナー像転写済み用紙の前記裏面は、除電ブラシ１６３によって適度に除電される。これにより、当該裏面には、トナー像を保持し得る程度の適度な電荷が残留する。また、この残留電荷を有する用紙の前記裏面と、接地された被覆金属板１６２の被覆部１６２ａとの間で、静電引力が生じる。この静電引力によって、当該用紙の定着部１５０への搬送が安定的に行われる。
【０１４８】
＜＜定着・排紙＞＞
再び図１を参照すると、未定着用紙搬送ガイド１６０を経て搬送されてきた、トナー像転写済み用紙は、加熱ローラー１５１と加圧ローラー１５２との間で挟まれることで、加圧されつつ加熱される。これにより、用紙の表面上に、トナー像が定着される。
【０１４９】
その後、定着済みの用紙は、加熱ローラー１５１及び加圧ローラー１５２の図中矢印で示されている方向の回転によって、定着済み用紙送出ローラー１７１に向けて送られる。
【０１５０】
さらに、定着済みの用紙は、定着済み用紙送出ローラー１７１によって、定着済み用紙ガイド１７２における定着済み用紙排出ガイド面１７２ａ、定着済み用紙ガイドコロ１７３、及びトップカバー１１１ｂの排紙口下側ガイド１１１ｂ３及び排紙口上側ガイド１１１ｂ４によってガイドされつつ、排紙駆動ローラー１７４と排紙従動ローラー１７５との間に向けて送られる。
【０１５１】
そして、排紙駆動ローラー１７４が図中時計回りに回転駆動されることで、定着済みの用紙が、排紙口１１１ｂ２から排紙トレイ１１１ｂ１に向けて排出される。片面画像形成を行う際には、用紙の後端が排紙駆動ローラー１７４と排紙従動ローラー１７５との間を通過することで、用紙が完全に排紙口１１１ｂ２から排出される。
【０１５２】
＜＜両面画像形成＞＞
両面画像形成を行う際には、１面目画像形成済みの用紙が完全に排紙口１１１ｂ２から排出される前に、排紙駆動ローラー１７４が逆転される。すなわち、排紙口１１１ｂ２の直前まで送られた、１面目画像形成済みの用紙の後端が、排紙駆動ローラー１７４と排紙従動ローラー１７５との間を通過する前に、排紙駆動ローラー１７４が図中反時計回りに回転駆動される。これにより、１面目画像形成済みの用紙の後端、すなわち、２面目画像形成用紙の前端が、排紙口上側ガイド１１１ｂ４によって、用紙反転経路ＤＰに導入される。
【０１５３】
この２面目画像形成用紙は、リヤカバー１１１ｃにおける用紙反転経路ガイド１１１ｃ１と、定着済み用紙ガイド１７２における定着済み用紙吸入ガイド面１７２ｂとの間に形成された用紙反転経路ＤＰを通って、用紙反転ユニット１８０における反転トレイ１８１まで送られる。
【０１５４】
このようにして反転トレイ１８１に送られた２面目画像形成用紙は、すでに画像が形成・定着された１面目が上方を向いた状態で、反転トレイ１８１に載置される。そして、この２面目画像形成用紙の前端が、反転用紙供給ローラー１１８及び反転用紙供給従動ローラー１８２によって、反転用紙供給路１１６ａを介して前記レジスト部に送られる。その後、上述と同様にして、２面目の画像形成が行われる。
【０１５５】
＜実施形態の構成による作用・効果＞
次に、上述の実施形態の構成による作用・効果について、各図面を参照しつつ以下に説明する。
【０１５６】
図２を参照すると、本実施形態の構成においては、トナー像が形成された未定着の用紙の前記裏面は、除電ブラシ１６３によって、完全に電荷が失われない程度に適度に除電される。これにより、未定着の用紙の前記裏面の過度のチャージアップが抑制される。
【０１５７】
また、図３を参照すると、本実施形態の構成においては、ガイド本体１６１におけるガイドリブ１６１ｂの側面と、被覆金属板１６２におけるスリット１６２ｃの開口端縁との間に、適度な隙間が形成される。この隙間により、用紙搬送経路対向部１６１ａにおけるガイド面１６１ａ１の一部が、上方に向けて露出される。これにより、上述の隙間が形成されていない従来の構成と比べて、用紙と被覆金属板１６２との静電引力が、適度に弱められる。
【０１５８】
したがって、本実施形態の構成によれば、未定着の用紙の表面にトナー像が静電的に保持されつつ、当該未定着の用紙の搬送がスムーズに行われ得る。また、上述の静電引力が過度に大きかったり小さかったりすることに起因する「リブ跡」や「飛び散り」の発生が、効果的に抑制される。
【０１５９】
＜被覆金属板のさらに好適な構成＞
ここで、図４は、図２に示されている被覆金属板１６２のさらに好適な形状の例を示す平面図である。
【０１６０】
図４を参照すると、この被覆金属板１６２には、幅方向最端部スリット１６２ｃ１、中間スリット１６２ｃ２、及び幅方向中央部スリット１６２ｃ３が形成されている。
【０１６１】
これらの、幅方向最端部スリット１６２ｃ１、中間スリット１６２ｃ２、及び幅方向中央部スリット１６２ｃ３の開口幅は、被覆部１６２ａの用紙搬送方向における中央部である、搬送方向中央部１６２ａ１と対応する位置において、前記幅方向について分布を有するように形成されている。この被覆部１６２ａにおける、搬送方向中央部１６２ａ１と対応する部分によって、図２に示されている通り、用紙の前記裏面と最も近接する部分、及びその近傍の部分が構成されている。
【０１６２】
再び図４を参照すると、幅方向最端部スリット１６２ｃ１は、被覆金属板１６２の前記幅方向（図中左右方向）における最端部に設けられている。この幅方向最端部スリット１６２ｃ１は、搬送方向中央部１６２ａ１において、上述のスリット１６２ｃと同様の幅及び面積に形成されている。すなわち、この幅方向最端部スリット１６２ｃ１は、４．５ｍｍ幅に形成されている。
【０１６３】
中間スリット１６２ｃ２は、幅方向最端部スリット１６２ｃ１よりも、前記幅方向における内側に設けられている。この中間スリット１６２ｃ２は、搬送方向中央部１６２ａ１において、幅方向最端部スリット１６２ｃ１よりも広い幅に形成されている。すなわち、この中間スリット１６２ｃ２は、７．２５ｍｍ幅に形成されている。また、この中間スリット１６２ｃ２は、幅方向最端部スリット１６２ｃ１よりも広い面積に形成されている。
【０１６４】
幅方向中央部スリット１６２ｃ３は、中間スリット１６２ｃ２よりも、前記幅方向における内側に設けられている。この幅方向中央部スリット１６２ｃ３は、搬送方向中央部１６２ａ１において、中間スリット１６２ｃ２よりも広い幅に形成されている。すなわち、この幅方向中央部スリット１６２ｃ３は、１２ｍｍないし１５ｍｍ幅に形成されている。また、この幅方向中央部スリット１６２ｃ３は、中間スリット１６２ｃ２よりも広い面積に形成されている。
【０１６５】
そして、図４に示されている被覆金属板１６２においては、図２における用紙搬送経路対向部１６１ａのガイド面１６１ａ１及びガイドリブ１６１ｂを含めた、ガイド本体１６１の上側表面のうちの、５０％以上が、上方に向けて露出されている。
【０１６６】
この図４に示されている構成によれば、被覆金属板１６２と用紙の前記裏面とが最も近接する部分、及びその近傍の部分における、未定着のトナー像を有する用紙と被覆金属板１６２との間での強力な静電引力の発生が、より効果的に抑制される。これにより、上述の「リブ跡」や「飛び散り」の発生が、より効果的に抑制される。
【０１６７】
特に、図４に示されている構成によれば、両面画像形成の２面目における、上述の「リブ跡」や「飛び散り」の発生が、より効果的に抑制される。
【０１６８】
＜実施例＞
以下、本実施形態の構成を用いた画像形成実験の結果について説明する。この画像形成実験は、常温・常湿度の環境下（２５℃、３０％）において、２種類の用紙及び画像形成速度を用いて行われた。この結果を、下記の表に示す。
【０１６９】
この表において、「用紙Ｐ１」は、富士ゼロックスオフィスサプライ株式会社製の、Ａ４サイズの上質プリンター用紙である（商品名「Ｐ」）。この用紙Ｐ１の繊維の方向は、用紙の長手方向すなわち用紙搬送方向に沿った向きである（縦目）。また、「用紙Ｐ２」は、富士通コワーコ株式会社製のＡ４サイズ普通紙である（商品名「Ａ４（Ｙ）」）。この用紙Ｐ２の繊維の方向は、用紙の幅方向に沿った向きである（横目）。
【０１７０】
この表において、「構成Ａ」は、図３に示されている、スリット１６２ｃを備えた被覆金属板１６２を示す。また、「構成Ｂ」は、図４に示されている、スリット１６２ｃ１，１６２ｃ２，及び１６２ｃ３を備えた被覆金属板１６２を示す。「１面目」は、用紙の片面にのみ画像形成を行った場合の、当該画像形成面を示す。「２面目」は、両面画像形成を行った場合の２面目を示す。
【０１７１】
さらに、この表内の数字は、画像形成結果の目視による評価（異常画像の発生度合い）を示すものである。ここで、「５」は優、「４」は良、「３」は可である。「（２）」は不可、「（１）」は悪である。括弧つきの「（２）」及び「（１）」は、使用者の見た目で画像不良が容易かつ明確に識別され得る場合である。
【表１】
2007176611.tif 000003
【０１７２】
この表１の結果から明らかなように、ガイドリブ１６１ｂの側面とスリット１６２ｃの開口端縁との間に隙間が形成されている構成Ａによれば、片面画像形成の場合、用紙の種類や画像形成速度に関係なく、上述のような「リブ跡」や「飛び散り」という異常画像のない、良好な画像形成結果が得られた。
【０１７３】
もっとも、スリット開口度合いの小さい構成Ａ、及び用紙幅方向に沿ってカールが発生しやすい縦目の用紙Ｐ１が用いられた場合、両面画像形成の２面目にて、「飛び散り」の異常画像が顕著に発生した。この異常画像の発生は、以下のメカニズムによるものと考えられる。
【０１７４】
１面目の定着工程を一旦経ることで、用紙が加熱及び加圧される。これにより、用紙幅方向に沿って用紙がカールする。このようにカールした用紙が再度画像形成に供された場合、図２及び図３を参照すると、当該用紙と未定着用紙搬送ガイド１６０（ガイドリブ１６１ｂ）との接触状態が、用紙幅方向における中央部と端部とで異なる。すなわち、例えば、用紙幅方向における中央部にて、用紙の前記裏面とガイドリブ１６１ｂとが最も強く接触する。
【０１７５】
また、１面目の定着工程によって用紙が加熱されることで、当該用紙の含水率が低下し、帯電性がより高くなる。
【０１７６】
すると、用紙と未定着用紙搬送ガイド１６０（ガイドリブ１６１ｂ）との間の摩擦によって、用紙が通常よりも過度に帯電する。そして、用紙と未定着用紙搬送ガイド１６０（ガイドリブ１６１ｂ）との間で、通常よりも高い電圧が発生する。これにより、用紙が被覆金属板１６２に強く引き付けられたり、用紙と未定着用紙搬送ガイド１６０（ガイドリブ１６１ｂ）との接触部にて放電が発生したりすることで、上述のような異常画像が、顕著に発生する。
【０１７７】
このメカニズムの蓋然性（確からしさ）は、以下の事実より補強される。（ａ）画像形成速度、すなわち用紙搬送速度が高い場合に、異常画像の発生がより顕著になっていること。（ｂ）横目の用紙Ｐ２が用いられた場合は、構成Ａによっても、両面画像形成の２面目にて特段の画像不良は生じなかったこと。
【０１７８】
これに対し、スリット開口度合いの大きい構成Ｂによれば、両面画像形成の２面目においても、良好な画像形成結果が得られた。
【０１７９】
＜いくつかの変形例の例示＞
なお、上述の実施形態は、上述した通り、出願人が取り敢えず本願の出願時点において最良であると考えた本発明の代表的な実施形態を単に例示したものにすぎない。よって、本発明はもとより上述の実施形態に何ら限定されるものではなく、本発明の本質的部分を変更しない範囲内において種々の変形を施すことができることは当然である。
【０１８０】
以下、先願主義の下で本願の出願の際に追記し得る程度（時間の許す限り）で、変形例について幾つか例示するが、変形例とてこれらに限定されるものではないことはいうまでもない。
【０１８１】
本願発明を、上述の実施形態及び下記変形例の記載に基づき限定解釈すること（特に、本発明の課題を解決するための手段を構成する各要素における、作用・機能的に表現されている要素を、実施形態等の記載に基づき限定解釈すること）は、先願主義の下で出願を急ぐ出願人の利益を不当に害する反面、模倣者を不当に利するものであって、発明の保護及び利用を目的とする特許法の目的に反し、許されない。
【０１８２】
（ｉ）本発明の適用対象は、レーザープリンタ等の電子写真式の画像形成装置に限定されない。例えば、本発明は、イオンフロー式やトナージェット式の画像形成装置にも好適に適用され得る。
【０１８３】
また、フィーダーユニット１２０、画像形成ユニット１３０、スキャナーユニット１４０等の具体的な構成については、本発明の本質的部分と直接には関係がない。よって、このような構成は、上述の実施形態にて開示された構成以外の様々な構成を採り得る。例えば、フィーダーユニット１２０を省略して、用紙を手差しでのみ供給し得るように構成された場合であっても、本発明は好適に適用され得る。
【０１８４】
（ii）図２における用紙搬送経路対向部１６１ａのガイド面１６１ａ１や、被覆部１６２ａは、平面を用紙搬送経路ＰＰに沿って屈曲させることで得られる曲面状に形成されていてもよい。また、図２に示されているような、側方から見て用紙搬送経路ＰＰに沿って形成されたガイドリブ１６１ｂの稜線が、用紙搬送経路ＰＰと完全に一致する曲線状となるように、ガイドリブ１６１ｂが形成されていてもよい。
【０１８５】
（iii）リブやスリットの数や形状も、図３及び図４に示されているものに限定されない。
【０１８６】
また、リブとスリットとの間の隙間の幅や面積について、前記幅方向に分布を持たせる場合、前記隙間がほとんど形成されない部分が形成されてもよい。
【０１８７】
すなわち、例えば、図４における幅方向最端部スリット１６２ｃ１及び／又は中間スリット１６２ｃ２の幅が、図２におけるガイドリブ１６１ｂの幅と略同一に設定されていてもよい。この場合、図５に示されているように、幅広な幅方向中央部スリット１６２ｃ３が、被覆金属板１６２の前記幅方向における中央部にのみ形成されていて、ガイドリブ１６１ｂと被覆部１６２ａとの隙間が、被覆金属板１６２の前記幅方向における中央部にのみ形成されている。
【０１８８】
あるいは、図６に示されているように、ガイド本体１６１の前記幅方向における中央部の、隣り合うガイドリブ１６１ｂの間に、被覆部１６２ａが形成されない部分があってもよい。すなわち、被覆金属板１６２の前記幅方向における中央部には、複数の隣り合うガイドリブ１６１ｂ及びそれらの間のガイド面１６１ａ１を露出させ得るような開口部１６２ｃ４が形成されていてもよい。
【０１８９】
この場合、被覆金属板１６２は、開口部１６２ｃ４によってガイド面１６１ａ１が露出されている部分を挟んで、図中左右に分割されていてもよい。すなわち、１組の被覆金属板１６２の間に、ガイド面１６１ａ１が露出される開口部１６２ｃ４が形成されていてもよい。
【０１９０】
（iii）  図７に示されているように、用紙搬送方向ＰＦＤにおける上流側であって、且つ被覆金属板１６２の前記幅方向における中央部には、ガイド面１６１ａ１及び複数のガイドリブ１６１ｂが露出される開口部１６２ｃ５が形成されていてもよい。
【０１９１】
また、図８に示されているように、用紙搬送方向ＰＦＤにおける下流側であって、且つ被覆金属板１６２の前記幅方向における中央部には、ガイド面１６１ａ１及び複数のガイドリブ１６１ｂが露出される開口部１６２ｃ６が形成されていてもよい。
【０１９２】
（iv）その他、本発明の課題を解決するための手段を構成する各要素における、作用・機能的に表現されている要素は、上述の実施形態や変形例にて開示されている具体的構造の他、当該作用・機能を実現可能ないかなる構造をも含む。
【図面の簡単な説明】
【０１９３】
【図１】本発明の画像形成装置の一実施形態であるレーザープリンタの側断面図である。
【図２】図１に示されている未定着用紙搬送ガイドの周辺を拡大した側断面図である。
【図３】図２に示されている未定着用紙搬送ガイドの分解斜視図である。
【図４】図２に示されている被覆金属板のさらに好適な形状の例を示す平面図である。
【図５】図２に示されている被覆金属板の変形例を示す平面図である。
【図６】図２に示されている被覆金属板の別の変形例を示す平面図である。
【図７】図２に示されている被覆金属板のさらに別の変形例を示す平面図である。
【図８】図２に示されている被覆金属板のさらに別の変形例を示す平面図である。
【符号の説明】
【０１９４】
１００…レーザープリンタ、          １１０…本体部、
１１１ｃ…リヤカバー、              １１１ｃ１…用紙反転経路ガイド、
１１６…下側用紙ガイド、            １１６ａ…反転用紙供給路、
１１８…反転用紙供給ローラー、      １３０…画像形成ユニット（現像剤像形成部）、
１３４…現像ローラー、              １３５…感光体ドラム、
１３７…転写ローラー、              １５０…定着部、
１５１…加熱ローラー、              １５２…加圧ローラー、
１６０…未定着用紙搬送ガイド（記録媒体ガイド部）、
１６１…ガイド本体（ガイド部材）、  １６１ａ…用紙搬送経路対向部、
１６１ａ１…ガイド面（対向面）、    １６１ｂ…ガイドリブ、
１６２…被覆金属板（導電部材）、    １６２ａ…被覆部、
１６２ａ１…搬送方向中央部、        １６２ｂ…除電ブラシ支持部、
１６２ｃ…スリット（開口部）、      １６２ｃ１…幅方向最端部スリット、
１６２ｃ２…中間スリット、          １６２ｃ３…幅方向中央部スリット、
１６２ｃ４…開口部、                １６２ｃ５…開口部、
１６２ｃ６…開口部、                １６３…除電ブラシ、
１７０…定着済み用紙搬送部、        １７２…定着済み用紙ガイド、
１７２ａ…定着済み用紙排出ガイド面、１７２ｂ…定着済み用紙吸入ガイド面、
１７３…定着済み用紙ガイドコロ、    １７４…排紙駆動ローラー、
１７５…排紙従動ローラー、          １８０…用紙反転ユニット、
１８１…反転トレイ、                １８１ａ…反転用紙ガイド面、
１８２…反転用紙供給従動ローラー、  ＰＰ…用紙搬送経路、
ＤＰ…用紙反転経路、                ＰＦＤ…用紙搬送方向
【図１】
2007176611.tif 000004
【図２】
2007176611.tif 000005
【図３】
2007176611.tif 000006
【図４】
2007176611.tif 000007
【図５】
2007176611.tif 000008
【図６】
2007176611.tif 000009
【図７】
2007176611.tif 000010
【図８】
2007176611.tif 000011